(57)【要約】【課題】環境負荷を低減したビジネススタイルを選択することが可能なビジネススタイル選択装置を提供すること。【解決手段】ビジネススタイル選択サーバ１は、クライアント端末２からビジネススタイルの基本情報入力されると、入力されたビジネススタイルの基本情報に基づいて、ビジネススタイルの環境負荷に関連する情報を格納したＤＢを参照して、環境負荷を低減したビジネススタイルを選択してその情報をクライアント端末２に送信する。【選択図】      図１
2004252780.tif 000002
【特許請求の範囲】
【請求項１】
ネットワークを介して接続されるクライアント端末からのビジネススタイルの選択のリクエストに応じて、ビジネススタイルを選択するビジネススタイル選択装置において、
前記クライアント端末から送出される、ビジネススタイルの基本情報を入力する入力手段と、
ビジネススタイルを選択する場合のその環境負荷に関連する情報を記憶した記憶手段と、
前記入力手段から入力されるビジネススタイルの基本情報に基づいて、前記記憶手段に記憶されている前記ビジネススタイルの環境負荷に関連する情報を参照して、環境負荷を低減したビジネススタイルを選択するビジネススタイル選択手段と、
前記ビジネススタイル選択手段で選択された環境負荷を低減したビジネススタイルの情報を前記クライアント端末に送信する送信手段と、
を備えたことを特徴とするビジネススタイル選択装置。
【請求項２】
前記ビジネススタイルは、社内の会議スタイルであり、
前記入力手段は、前記クライアント端末から送出される、参加者情報を含む会議開催の基本情報を入力し、
前記記憶手段は、会議スタイルを選択する場合のその環境負荷に関連する情報を記憶し、
前記ビジネススタイル選択手段は、前記入力手段から入力される前記会議開催の基本情報に応じて、前記記憶手段に記憶されている前記会議スタイルの環境負荷に関連する情報を参照して、環境負荷を低減した会議スタイルを選択し、
前記送信手段は、前記ビジネススタイル選択手段で選択された環境負荷を低減した会議スタイルの情報を前記クライアント端末に送信することを特徴とする請求項１に記載のビジネススタイル選択装置。
【請求項３】
前記ビジネススタイルは、商品選択のスタイルであり、
前記入力手段は、前記クライアント端末から送出される、商品の種類、要求する機能／性能、および限度額を入力し、
前記記憶手段は、各種商品に対応させて、価格およびその機能／性能を記憶する第１の記憶手段と、前記各種商品に対応させて、商品の環境負荷に関連する情報を記憶する第２の記憶手段とを含み、
ビジネススタイル選択手段は、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、
送信手段は、前記ビジネススタイル選択手段で選択された環境負荷を低減する商品の情報を、前記クライアント端末に送信することを特徴とする請求項１に記載のビジネススタイル選択装置。
【請求項４】
前記ビジネススタイルは、企業の勤務時間帯であり、
前記入力手段は、前記クライアント端末から送出される、事業所の情報し、
前記記憶手段は、勤務時間帯を選択する場合のその環境負荷に関連する情報を記憶し、
前記ビジネススタイル選択手段は、前記入力手段から入力される前記事業所の情報に基づいて、前記記憶手段に記憶されている前記環境負荷に関連する情報を参照して、環境負荷を低減した当該事業所の勤務時間帯を選択し、
前記送信手段は、ビジネススタイル選択手段で選択された、環境負荷を低減する当該事業所の勤務時間帯の情報を前記クライアント端末に送信することを特徴とする請求項１に記載のビジネススタイル選択装置。
【請求項５】
前記ビジネススタイルは、オフィスのレイアウトであり、
前記入力手段は、前記クライアント端末から送出される、事業所の情報を入力し、
記憶手段は、事業所のレイアウトを選択する場合のその環境負荷に関連する情報を記憶し、
前記ビジネススタイル選択手段は、前記入力手段から入力される前記事業所の情報に基づいて、前記記憶手段に記憶されている前記環境負荷に関連する情報を参照して、当該事業所の環境負荷を低減したレイアウトを選択し、
前記送信手段は、前記ビジネススタイル選択手段で選択された、環境負荷を低減したレイアウトの情報を前記クライアント端末に送信することを特徴とする請求項１に記載のビジネススタイル選択装置。
【請求項６】
ネットワークを介して接続されるクライアント端末からのビジネススタイルの選択のリクエストに応じて、ビジネススタイルを選択するビジネススタイル選択方法において、
前記クライアント端末から送出される、ビジネススタイルの基本情報を入力する入力工程と、
前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、
前記選択された環境負荷を低減したビジネススタイルの情報を前記クライアント端末に送信する送信工程と、
を含むことを特徴とするビジネススタイル選択方法。
【請求項７】
前記ビジネススタイルは、社内の会議スタイルであり、
前記入力工程では、前記クライアント端末から送出される、参加者情報を含む会議開催の基本情報を入力し、
前記記憶手段は、会議スタイルを選択する場合のその環境負荷に関連する情報を記憶しており、
前記ビジネススタイル選択手段では、前記入力工程で入力される前記会議開催の基本情報に応じて、前記記憶手段に記憶されている前記会議スタイルの環境負荷に関連する情報を参照して、環境負荷を低減した会議スタイルを選択し、
前記送信工程では、前記ビジネススタイル選択手段で選択された環境負荷を低減した会議スタイルの情報を前記クライアント端末に送信することを特徴とする請求項６に記載のビジネススタイル選択方法。
【請求項８】
前記ビジネススタイルは、商品選択のスタイルであり、
前記入力工程では、前記クライアント端末から送出される、商品の種類、要求する機能／性能、および限度額を入力し、
前記記憶手段は、各種商品に対応させて、価格およびその機能／性能を記憶する第１の記憶手段と、前記各種商品に対応させて、商品の環境負荷に関連する情報を記憶する第２の記憶手段とを含み、
前記ビジネススタイル選択工程では、前記入力工程で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、
前記送信工程では、前記ビジネススタイル選択工程で選択された環境負荷を低減する商品の情報を、前記クライアント端末に送信することを特徴とする請求項６に記載のビジネススタイル選択方法。
【請求項９】
前記ビジネススタイルは、企業の勤務時間帯であり、
前記入力工程では、前記クライアント端末から送出される、事業所の情報し、
前記記憶手段は、勤務時間帯を選択する場合のその環境負荷に関連する情報を記憶し、
前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、
前記送信工程では、ビジネススタイル選択工程で選択された、環境負荷を低減する当該事業所の勤務時間帯の情報を前記クライアント端末に送信することを特徴とする請求項６に記載のビジネススタイル選択方法。
【請求項１０】
前記ビジネススタイルは、オフィスのレイアウトであり、
前記入力工程では、前記クライアント端末から送出される、事業所の情報を入力し、
記憶手段は、事業所のレイアウトを選択する場合のその環境負荷に関連する情報を記憶し、
前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、
前記送信工程では、前記ビジネススタイル選択工程で選択された、環境負荷を低減したレイアウトの情報を前記クライアント端末に送信することを特徴とする請求項６に記載のビジネススタイル選択方法。
【請求項１１】
コンピュータが実行するためのプログラムにおいて、
ネットワークを介して接続されるクライアント端末から送出される、ビジネススタイルの基本情報を入力する入力工程と、
前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、
前記選択された環境負荷を低減したビジネススタイルの情報を前記クライアント端末に送信する送信工程と、
をコンピュータに実行させることを特徴とするコンピュータが実行するためのプログラム。
【請求項１２】
前記ビジネススタイルは、社内の会議スタイルであり、
前記入力工程では、前記クライアント端末から送出される、参加者情報を含む会議開催の基本情報を入力し、
前記記憶手段は、会議スタイルを選択する場合のその環境負荷に関連する情報を記憶しており、
前記ビジネススタイル選択手段では、前記入力工程で入力される前記会議開催の基本情報に応じて、前記記憶手段に記憶されている前記会議スタイルの環境負荷に関連する情報を参照して、環境負荷を低減した会議スタイルを選択し、
前記送信工程では、前記ビジネススタイル選択手段で選択された環境負荷を低減した会議スタイルの情報を前記クライアント端末に送信することを特徴とする請求項１１に記載のコンピュータが実行するためのプログラム。
【請求項１３】
前記ビジネススタイルは、商品選択のスタイルであり、
前記入力工程では、前記クライアント端末から送出される、商品の種類、要求する機能／性能、および限度額を入力し、
前記記憶手段は、各種商品に対応させて、価格およびその機能／性能を記憶する第１の記憶手段と、前記各種商品に対応させて、商品の環境負荷に関連する情報を記憶する第２の記憶手段とを含み、
前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、
前記送信工程では、前記ビジネススタイル選択工程で選択された環境負荷を低減する商品の情報を、前記クライアント端末に送信することを特徴とする請求項１１に記載のコンピュータが実行するためのプログラム。
【請求項１４】
前記ビジネススタイルは、企業の勤務時間帯であり、
前記入力工程では、前記クライアント端末から送出される、事業所の情報し、
前記記憶手段は、勤務時間帯を選択する場合のその環境負荷に関連する情報を記憶し、
前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、
前記送信工程では、ビジネススタイル選択工程で選択された、環境負荷を低減する当該事業所の勤務時間帯の情報を前記クライアント端末に送信することを特徴とする請求項１１に記載のコンピュータが実行するためのプログラム。
【請求項１５】
前記ビジネススタイルは、オフィスのレイアウトであり、
前記入力工程では、前記クライアント端末から送出される、事業所の情報を入力し、
記憶手段は、事業所のレイアウトを選択する場合のその環境負荷に関連する情報を記憶し、
前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、
前記送信工程では、前記ビジネススタイル選択工程で選択された、環境負荷を低減したレイアウトの情報を前記クライアント端末に送信することを特徴とする請求項１１に記載のコンピュータが実行するためのプログラム。
【発明の詳細な説明】
【０００１】
【発明の属する技術分野】
本発明は、会議スタイル選択装置、ビジネススタイル選択方法、およびコンピュータが実行するためのプログラムに関し、詳細には、環境負荷を低減した会議スタイルを決定することが可能なビジネススタイル選択装置、ビジネススタイル選択方法、およびコンピュータが実行するためのプログラムに関する。
【０００２】
【従来の技術】
近年、人間の活動が活発になるにつれて、地球レベルでの環境問題を無視できなくてなってきた。例えば、急激なエネルギー消費が原因の地球温暖化の問題は深刻でその対策が急務とされている。地球の温暖化は、エネルギー消費により大気中に放出される二酸化炭素、メタン、亜酸化窒素のような温室効果ガスの濃度増加が原因で、地球があたかも温室のような状況になると言われる。この温室効果ガスを抑制するために、自然エネルギーの導入、省エネルギーの促進、リサイクル、リユースの促進による効果が期待されている。企業も地球上で活動する以上、環境問題に積極的に取り組むことが社会的責務となってきている。将来の世代に生き生きとした豊かな地球を受け渡すためには、企業がそのビジネススタイルを選択する場合に、環境負荷を少ないものにする必要がある。例えば、企業は、ビジネススタイルの選択として、例えば、会議スタイルの選択、顧客に提供する商品の選択、勤務時間帯の選択、オフィスのレイアウトの選択等の各種の選択を行っている。
【０００３】
例えば、会議スタイルの選択を行う技術として、特許文献１の会議開催スケジュール決定装置では、開催情報読込手段と、会議室検索手段と、空き会議室日時帯検索手段と、参加者空き日時帯検索手段と、スケジュール予約手段と、個人スケジュール選択手段とを備え、会議室の設備条件および会議開催範囲条件を満足する全ての空き会議室の空き日時帯を調べるとともに、参加者名および主催者名の共通空き時間帯を調べ、両方の日時帯が一致した日時帯を会議開催日時帯と決定して参加者名および主催者名の個人のスケジュール情報および空き会議室の会議予約スケジュール情報の同一日時帯に主催者名と会議名とを予約している。
【０００４】
また、消費者が製品を購入する場合に製品の情報を提供するシステムとして、例えば、特許文献２が知られている。上記特許文献２では、クライアントに対して商品情報を提供可能な商品情報提供用サーバにおいて、前記商品情報は、販売店名、商品名、および商品価格を少なくとも含む複数の異なる情報を有し、当該複数の情報を１つのレコードとなし、複数のレコードを記憶したデータベースと、前記クライアントから指示された複数の販売店で前記データベースを検索する検索手段と、当該検索の結果得られるレコードの中の少なくとも商品名および商品価格を前記クライアントに送信する送信手段とを備え、前記クライアントでは、前記複数の販売店名に関連づけて、対応する前記商品名および商品価格を表示する商品情報提供用サーバが開示されている。
【０００５】
また、企業が日常の活動を行う場合には、各社員が所属する事業所で活動を行っているため、環境負荷の少ない事業所のレイアウトを作成する必要がある。例えば、特許文献３では、顧客端末とネットワークを介して接続されるシステム管理サーバとを用いて、オフィスレイアウトの設計を自動的に行い提供するシステムにおいて、顧客端末からシステム管理サーバに対して、レイアウト要求情報の入力画面を要求する手段と、前記要求に応じて、システム管理サーバから顧客端末に入力画面を送信する手段と、前記送信された入力画面によってレイアウト要求情報を入力し、システム管理サーバに送信する手段と、前記送信されたレイアウト要件情報に基づいて、オフィスレイアウトを自動設計する手段と、前記送信されたオフィスレイアウトを顧客端末に表示する手段とを備えたオフィスレイアウト設計システムが開示されている。
【０００６】
【特許文献１】
特開平９−１２０４１９号公報
【特許文献２】
特開２００１−２９７２５４号公報
【特許文献３】
特開２００２−４９６５１号公報
【０００７】
【発明が解決しようとする課題】
しかしながら、上記従来技術では、会議を開催する場合、商品を選択する場合、勤務時間帯を決定する場合、およびオフィスのレイアウトを決定する場合等のビジネススタイルを選択する場合に、その環境負荷を全く考慮していないという問題がある。
【０００８】
本発明は、上記に鑑みてなされたものであり、環境負荷を低減したビジネススタイルを選択することが可能なビジネススタイル選択装置、ビジネススタイル選択方法、およびコンピュータが実行するためのプログラムを提供することを目的とする。
【０００９】
【課題を解決するための手段】
上記課題を解決するために、請求項１にかかる発明は、ネットワークを介して接続されるクライアント端末からのビジネススタイルの選択のリクエストに応じて、ビジネススタイルを選択するビジネススタイル選択装置において、前記クライアント端末から送出される、ビジネススタイルの基本情報を入力する入力手段と、ビジネススタイルを選択する場合のその環境負荷に関連する情報を記憶した記憶手段と、前記入力手段から入力されるビジネススタイルの基本情報に基づいて、前記記憶手段に記憶されている前記ビジネススタイルの環境負荷に関連する情報を参照して、環境負荷を低減したビジネススタイルを選択するビジネススタイル選択手段と、前記ビジネススタイル選択手段で選択された環境負荷を低減したビジネススタイルの情報を前記クライアント端末に送信する送信手段と、を備えたことを特徴とする。
【００１０】
上記発明によれば、入力手段は、前記クライアント端末から送出される、ビジネススタイルの基本情報を入力し、記憶手段は、ビジネススタイルを選択する場合のその環境負荷に関連する情報を記憶し、ビジネススタイル選択手段は、前記入力手段から入力されるビジネススタイルの基本情報に基づいて、前記記憶手段に記憶されている前記ビジネススタイルの環境負荷に関連する情報を参照して、環境負荷を低減したビジネススタイルを選択し、送信手段は、前記ビジネススタイル選択手段で選択された環境負荷を低減したビジネススタイルの情報を前記クライアント端末に送信する。
【００１１】
また、請求項２にかかる発明は、請求項１にかかる発明において、前記ビジネススタイルは、社内の会議スタイルであり、前記入力手段は、前記クライアント端末から送出される、参加者情報を含む会議開催の基本情報を入力し、前記記憶手段は、会議スタイルを選択する場合のその環境負荷に関連する情報を記憶し、前記ビジネススタイル選択手段は、前記入力手段から入力される前記会議開催の基本情報に応じて、前記記憶手段に記憶されている前記会議スタイルの環境負荷に関連する情報を参照して、環境負荷を低減した会議スタイルを選択し、前記送信手段は、前記ビジネススタイル選択手段で選択された環境負荷を低減した会議スタイルの情報を前記クライアント端末に送信することを特徴とする。
【００１２】
上記発明によれば、前記入力手段は、前記クライアント端末から送出される、参加者情報を含む会議開催の基本情報を入力し、前記記憶手段は、会議スタイルを選択する場合のその環境負荷に関連する情報を記憶し、前記ビジネススタイル選択手段は、前記入力手段から入力される前記会議開催の基本情報に応じて、前記記憶手段に記憶されている前記会議スタイルの環境負荷に関連する情報を参照して、環境負荷を低減した会議スタイルを選択し、前記送信手段は、前記ビジネススタイル選択手段で選択された環境負荷を低減した会議スタイルの情報を前記クライアント端末に送信する。
【００１３】
また、請求項３にかかる発明は、請求項１にかかる発明において、前記ビジネススタイルは、商品選択のスタイルであり、前記入力手段は、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、ビジネススタイル選択手段は、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、送信手段は、前記ビジネススタイル選択手段で選択された環境負荷を低減する商品の情報を、前記クライアント端末に送信する。
【００１４】
上記発明によれば、前記入力手段は、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、ビジネススタイル選択手段は、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、送信手段は、前記ビジネススタイル選択手段で選択された環境負荷を低減する商品の情報を、前記クライアント端末に送信する。
【００１５】
また、請求項４にかかる発明は、請求項１にかかる発明において、前記ビジネススタイルは、企業の勤務時間帯であり、前記入力手段は、前記クライアント端末から送出される、事業所の情報し、前記記憶手段は、勤務時間帯を選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、環境負荷を低減した当該事業所の勤務時間帯を選択し、前記送信手段は、ビジネススタイル選択手段で選択された、環境負荷を低減する当該事業所の勤務時間帯の情報を前記クライアント端末に送信することを特徴とする。
【００１６】
上記発明によれば、入力手段は、前記クライアント端末から送出される、事業所の情報し、前記記憶手段は、勤務時間帯を選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、環境負荷を低減した当該事業所の勤務時間帯を選択し、前記送信手段は、ビジネススタイル選択手段で選択された、環境負荷を低減する当該事業所の勤務時間帯の情報を前記クライアント端末に送信する。
【００１７】
また、請求項５にかかる発明は、請求項１にかかる発明において、前記ビジネススタイルは、オフィスのレイアウトであり、前記入力手段は、前記クライアント端末から送出される、事業所の情報を入力し、記憶手段は、事業所のレイアウトを選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、当該事業所の環境負荷を低減したレイアウトを選択し、前記送信手段は、前記ビジネススタイル選択手段で選択された、環境負荷を低減したレイアウトの情報を前記クライアント端末に送信することを特徴とする。
【００１８】
上記発明によれば、入力手段は、前記クライアント端末から送出される、事業所の情報を入力し、記憶手段は、事業所のレイアウトを選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、当該事業所の環境負荷を低減したレイアウトを選択し、前記送信手段は、前記ビジネススタイル選択手段で選択された、環境負荷を低減したレイアウトの情報を前記クライアント端末に送信する。
【００１９】
また、請求項６にかかる発明は、ネットワークを介して接続されるクライアント端末からのビジネススタイルの選択のリクエストに応じて、ビジネススタイルを選択するビジネススタイル選択方法において、前記クライアント端末から送出される、ビジネススタイルの基本情報を入力する入力工程と、前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、前記選択された環境負荷を低減したビジネススタイルの情報を前記クライアント端末に送信する送信工程と、を含むことを特徴とする。
【００２０】
上記発明によれば、クライアント端末から送出される、ビジネススタイルの基本情報を入力し、前記入力されるビジネススタイルの基本情報に基づいて、記憶手段に記憶されている、ビジネススタイルを選択する場合のその環境負荷に関連する情報を参照して、環境負荷を低減したビジネススタイルを選択し、前記選択された環境負荷を低減したビジネススタイルの情報を前記クライアント端末に送信する。
【００２１】
また、請求項７にかかる発明は、請求項６にかかる発明において、前記ビジネススタイルは、社内の会議スタイルであり、前記入力工程では、前記クライアント端末から送出される、参加者情報を含む会議開催の基本情報を入力し、前記記憶手段は、会議スタイルを選択する場合のその環境負荷に関連する情報を記憶しており、前記ビジネススタイル選択工程では、前記入力工程で入力される前記会議開催の基本情報に応じて、前記記憶手段に記憶されている前記会議スタイルの環境負荷に関連する情報を参照して、環境負荷を低減した会議スタイルを選択し、前記送信工程では、前記ビジネススタイル選択手段で選択された環境負荷を低減した会議スタイルの情報を前記クライアント端末に送信することを特徴とする。
【００２２】
上記発明によれば、前記クライアント端末から送出される、参加者情報を含む会議開催の基本情報を入力し、入力される前記会議開催の基本情報に応じて、前記記憶手段に記憶されている前記会議スタイルの環境負荷に関連する情報を参照して、環境負荷を低減した会議スタイルを選択し、選択された環境負荷を低減した会議スタイルの情報を前記クライアント端末に送信する。
【００２３】
また、請求項８にかかる発明は、請求項６にかかる発明において、前記ビジネススタイルは、商品選択のスタイルであり、前記入力工程では、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、前記送信工程では、前記ビジネススタイル選択工程で選択された環境負荷を低減する商品の情報を、前記クライアント端末に送信することを特徴とする。
【００２４】
上記発明によれば、クライアント端末から送出される、商品の種類、要求する機能／性能、および限度額を入力し、入力された商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、選択された環境負荷を低減する商品の情報を、前記クライアント端末に送信する。
【００２５】
また、請求項９にかかる発明は、請求項６にかかる発明において、前記ビジネススタイルは、企業の勤務時間帯であり、前記入力工程では、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信することを特徴とする。
【００２６】
上記発明によれば、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信する。
【００２７】
また、請求項１０にかかる発明は、請求項６にかかる発明において、前記ビジネススタイルは、オフィスのレイアウトであり、前記入力工程では、前記クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信することを特徴とする。
【００２８】
上記発明によれば、クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信する。
【００２９】
また、請求項１１にかかる発明は、コンピュータが実行するためのプログラムにおいて、ネットワークを介して接続されるクライアント端末から送出される、ビジネススタイルの基本情報を入力する入力工程と、前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、前記選択された環境負荷を低減したビジネススタイルの情報を前記クライアント端末に送信する送信工程と、をコンピュータに実行させることを特徴とする。
【００３０】
上記発明によれば、コンピュータでプログラムを実行することにより、ネットワークを介して接続されるクライアント端末から送出される、ビジネススタイルの基本情報を入力する入力工程と、前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、前記選択された環境負荷を低減したビジネススタイルの情報を前記クライアント端末に送信する送信工程と、を実現する。
【００３１】
また、請求項１２にかかる発明は、請求項１１にかかる発明において、前記ビジネススタイルは、社内の会議スタイルであり、前記入力工程では、前記クライアント端末から送出される、参加者情報を含む会議開催の基本情報を入力し、前記記憶手段は、会議スタイルを選択する場合のその環境負荷に関連する情報を記憶しており、前記ビジネススタイル選択工程では、前記入力工程で入力される前記会議開催の基本情報に応じて、前記記憶手段に記憶されている前記会議スタイルの環境負荷に関連する情報を参照して、環境負荷を低減した会議スタイルを選択し、前記送信工程では、前記ビジネススタイル選択手段で選択された環境負荷を低減した会議スタイルの情報を前記クライアント端末に送信することを特徴とする。
【００３２】
上記発明によれば、前記入力工程では、前記クライアント端末から送出される、参加者情報を含む会議開催の基本情報を入力し、前記記憶手段は、会議スタイルを選択する場合のその環境負荷に関連する情報を記憶しており、前記ビジネススタイル選択工程では、前記入力工程で入力される前記会議開催の基本情報に応じて、前記記憶手段に記憶されている前記会議スタイルの環境負荷に関連する情報を参照して、環境負荷を低減した会議スタイルを選択し、前記送信工程では、前記ビジネススタイル選択手段で選択された環境負荷を低減した会議スタイルの情報を前記クライアント端末に送信する。
【００３３】
また、請求項１３にかかる発明は、請求項１１にかかる発明において、前記ビジネススタイルは、商品選択のスタイルであり、前記入力工程では、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、前記送信工程では、前記ビジネススタイル選択工程で選択された環境負荷を低減する商品の情報を、前記クライアント端末に送信することを特徴とする。
【００３４】
上記発明によれば、入力工程では、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、前記送信工程では、前記ビジネススタイル選択工程で選択された環境負荷を低減する商品の情報を、前記クライアント端末に送信する。
【００３５】
また、請求項１４にかかる発明は、請求項１１にかかる発明において、前記ビジネススタイルは、企業の勤務時間帯であり、前記入力工程では、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信することを特徴とする。
【００３６】
上記発明によれば、前記入力工程では、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信する。
【００３７】
また、請求項１５にかかる発明は、請求項１１にかかる発明において、前記ビジネススタイルは、オフィスのレイアウトであり、前記入力工程では、前記クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信することを特徴とする。
【００３８】
上記発明によれば、入力工程では、前記クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信する。
【００３９】
【発明の実施の形態】
以下、図面を参照して、本発明にかかるビジネススタイル選択装置、ビジネススタイル選択方法、およびコンピュータが実行するためのプログラムの好適な実施の形態を、（ビジネススタイル選択システムの全体構成）、（ビジネススタイルの選択メニュー）（ビジネススタイル選択サーバの構成）、（クライアント端末の構成）、（会議スタイル選択処理）、（商品選択処理）、（勤務時間帯作成処理）、（レイアウト決定処理）の順に詳細に説明する。なお、本明細書において、「ビジネススタイル」とは、企業がビジネスを行う場合に、そのビジネスに関連する事項（スタイル）を広く含むものであり、例えば、会議スタイル、商品を選択するスタイル、勤務時間帯のスタイル、およびオフィスのレイアウトのスタイル等を言う。また、「環境負荷に関連する情報（環境パラメータ）」とは、環境負荷を低減するビジネススタイルを選択する場合に参照される情報をいう。
【００４０】
（ビジネススタイル選択システムの全体構成）
図１は、本発明にかかるビジネススタイル選択システムの全体構成を示す図である。同図に示すビジネススタイル選択システムは、ビジネススタイルを選択する場合に、ビジネススタイルの基本情報をビジネススタイル選択サーバ１に送信するクライアント端末２・・・と、クライアント端末２・・・から入力されるビジネススタイルの基本情報に従って、環境負荷の低減が図れるビジネススタイルを選択してクライアント端末２に送信するビジネススタイル選択サーバ（ビジネススタイル選択装置）１とから構築されており、ビジネススタイル選択サーバ１と、クライアント端末２・・・とは、ネットワーク３を介して接続されている。
【００４１】
ネットワーク３は、イントラネットからなり、全国に所在する会社の各事業所がネットワーク３により接続されている。各社員は、予め自己のスケジュール、出社時間、退社時間等を各自が所有するクライアント端末２からビジネススタイル選択サーバ１に登録する。
【００４２】
（ビジネススタイルの選択画面）
図２は、ビジネススタイル選択サーバ１からクライアント端末２に提供されるビジネススタイルの選択画面を示している。同図に示す選択画面には、１：会議スタイル選択、２：商品の選択、３：勤務時間帯の作成、４：レイアウトの決定が表示される。ビジネススタイル選択サーバ１は、この選択画面でクライアント端末２により、”１：会議スタイル選択”が選択された場合には、会議スタイル選択処理（図１６参照）を実行し、”２：商品の選択”が選択された場合には、商品選択処理（図２０参照）を実行し、”３：勤務時間帯の作成”が選択された場合には、勤務時間帯作成処理（図２４参照）を実行し、”４：レイアウトの決定”が選択された場合には、レイアウト決定処理（図２８参照）を実行する。
【００４３】
（ビジネススタイル選択サーバの構成）
図３は、図１のビジネススタイル選択サーバ１の構成例を示すブロック図である。ビジネススタイル選択サーバ１は、通信制御部１１、制御部１２、プログラム記憶部１３、人事ＤＢ１４、スケジュールＤＢ１５、会議室ＤＢ１６、第１の環境負荷ＤＢ１７、プレゼンテーション用機器ＤＢ１８、商品ＤＢ１９、商品負荷試算ＤＢ２０、移動負荷ＤＢ２１、第２の環境負荷ＤＢ２２、勤務時間帯ＤＢ２３、気温ＤＢ２４、第３の環境負荷ＤＢ２５、滞在時間ＤＢ２６、レイアウト基本データＤＢ２７、および第４の環境負荷ＤＢ２８を備えている。各部は、バスを介して互いに接続されている。
【００４４】
通信制御部１１は、ネットワーク３を介して接続される装置とデータ通信する際にデータ通信を制御する。制御部１２は、ＣＰＵやＲＡＭ等から構成され、プログラム記憶部１３に記録されたプログラムに従って、各部の制御や、データの転送、種々の演算、データの一時的な格納等を行う。具体的には、制御部１２は、プログラム記憶部１３に記録されたプログラムに従って後述する会議スタイル選択処理（図１６参照）、商品選択処理（図２０参照）、勤務時間帯作成処理（図２４参照）、レイアウト決定処理（図２８参照）等を実行する。
【００４５】
プログラム記憶部１３は、制御部１２で実行するための各種プログラムやデータが記憶されている。かかるプログラムには、例えば、ＯＳプログラムや、会議スタイル選択処理（図１６参照）、商品選択処理（図２０参照）、勤務時間帯作成処理（図２４参照）、レイアウト決定処理（図２８参照）等を実行するためのプログラム等がある。また、プログラム記憶部１３の記録媒体としては、例えば、フロッピー（Ｒ）ディスク、ハードディスク、ＣＤ−ＲＯＭ、ＤＶＤ−ＲＯＭ、ＭＯやＰＣカード等の光学的・磁気的・電気的な記録媒体を使用することができる。また、プログラム記憶部１３に格納されたプログラムはネットワーク３を介して配信可能である。
【００４６】
人事ＤＢ１４には、社員の氏名・社員番号に対応させて、役職／権限、勤務する事業所、所属する部署、年齢、性別、嗜好、夜型／朝型、視力／聴力、住所等のデータが登録されている。図４は、人事ＤＢ１４に格納されるデータの一例を示す図である。
【００４７】
スケジュールＤＢ１５には、クライアント端末２・・・のスケジューラ（図  参照）から入力される、各社員の出社時間（＝始業時間）、退社時間（＝終業時間）、およびスケジュールが、社員名に対応させて登録される。図５は、スケジュールＤＢ１５に格納されるデータの一例を示す図である。同図に示すように、スケジュールＤＢ１５には、社員名、所属する事業所名、部所名、出社時間、退社時間、およびスケジュールが対応づけて登録されている。
【００４８】
会議室ＤＢ１６には、全国に所在する事業所の各会議室の単位時間当たりの照明の電気使用量・空調の電気使用量（基準温度（例えば、２６℃）にするためのエアコン・暖房の電気使用量）、スケジュール（予約状況）が登録されている。照明や空調の電気使用量は、会議室のある方位や階数で日当たりが異なるため、会議室により異なる。図６は、会議室ＤＢ１６に格納されるデータの一例を示している。
【００４９】
プレゼンテーション用機器ＤＢ１８には、会議のプレゼンテーションのために使用されるプレゼンテーション用機器の電気使用量のデータが格納されている。具体的には、配布資料のコピーを取るためのコピー機のコピー１枚当たりの電気使用量、およびホワイトボードなどに画像を投影するためのプロジェクタの単位時間当たりの電気使用量等のデータが格納されている。プレゼンテーション用機器として、コピー機を使用する場合は、会議の参加者にコピーした配布資料を配り、プロジェクタを使用する場合には、配布資料を配らないで配布資料をプロジェクタで投影してプレゼンテーションを行う。
【００５０】
第１の環境負荷ＤＢ１７には、制御部１２が会議スタイル選択処理で算出した会議の環境負荷データが格納される。図７は、第２の環境負荷ＤＢ２２に格納される会議の環境負荷データの一例を示す図である。図７に示すように、会議スタイルの選択のリクエスト毎に、環境負荷順位、会議室、開催日時、照明および空調の総電気使用量、選択したプレゼンテーション用機器、およびこのプレゼンテーション用機器の電気使用量が格納される。
【００５１】
商品ＤＢ１９には、商品の種類毎に、各商品の性能／機能、価格、および在庫先が登録されている。図８は、商品ＤＢ１９に格納されるデータの一例を示す図である。図８に示すように、商品の種類（テレビ、コピー機、冷蔵庫、・・・）毎に、各商品名に対応させて、その性能／機能、価格、および在庫先が登録されている。
【００５２】
商品負荷ＤＢ２０には、商品の種類毎に、各商品の耐久性（商品寿命）、消費電力、リサイクル具品使用比率、熱放出量、およびリサイクル化率と、環境負荷値Ａが登録されている。環境負荷値Ａ（第１の環境負荷値）は、耐久性（商品寿命）、消費電力、リサイクル具品使用比率、熱放出量、およびリサイクル化率から算出した商品自体が環境に与える環境負荷を表す値で「１」〜「１００」までの値となり、値が小さい方が環境負荷が小さいことを示している。図９は、商品負荷ＤＢ２０に格納されているデータの一例を示す図である。
【００５３】
移動負荷ＤＢ２１には、地図データと、車を走行させた場合に単位移動距離当たりの（例えば、１ｋｍ）排気ガス量が登録されている。この移動負荷ＤＢ２１は、制御部１２で商品の環境負荷値Ｂ（第２の環境負荷値）を算出する際に参照される。環境負荷値Ｂは、商品を車で在庫先から購入先の住所に納品する場合に消費される排気ガス量から算出され、車での移動に伴う環境負荷を表す値で、「１」〜「１００」までの値となり、値が小さい方が環境負荷値Ｂが小さいことを示している。また、移動距離が短い方が環境負荷値Ｂが小くなる。ここでは、商品の納品は同一の車種で行うことを前提としている。同一の車種であるので、単位移動距離当たりの排気ガス量が同一となる。
【００５４】
第２の環境負荷ＤＢ２２には、制御部１２が商品選択処理で算出した商品の環境負荷のデータが格納される。図１０は、第２の環境負荷ＤＢ２２に格納される商品の環境負荷のデータの一例を示す図である。図１０に示すように、商品選択のリクエスト毎に、環境負荷順位、商品名、環境負荷値Ａ、環境負荷値Ｂ、および環境負荷値のデータが格納される。ここで、環境負荷値は、環境負荷値Ａ＋環境負荷値Ｂで算出される値である。
【００５５】
勤務時間帯ＤＢ２３には、事業所毎に各部署の各月毎の勤務時間（始業時間、終業時間）のデータが格納されている。ここでは、この勤務時間のデータは、各事業所の部署毎のその所属する全社員の勤務時間（始業時間、終業時間）の各月の平均値である。図１１は、勤務時間帯ＤＢに格納されるデータの一例を示す図である。制御部１２は、月が終了すると、スケジュールＤＢ１５を参照して、各事業所の各部署毎にその所属する全社員の勤務時間（始業時間、終業時間）のその月の平均値を算出して、勤務時間帯ＤＢ２３に格納する。
【００５６】
気温ＤＢ２４には、各地域の月毎（１月〜１２月）の時間帯別（７時〜２１時）の平均気温のデータが格納されている。図１２は、気温ＤＢ２４に格納されるデータの一例を示す図である。気温ＤＢ２４には、各地域（福岡、大阪、山口、名古屋、東京、横浜、仙台、青森、札幌、・・・・）の月（１月〜１２月）毎の時間帯別（７時〜２１時）の平均気温のデータが格納されている。この気温ＤＢ２４に格納される平均気温のデータは、気象情報サービスを提供するサーバからネットワークを介して取得しても良く、また、ビジネススタイル選択サーバ１の管理者が入力することにしても良い。
【００５７】
第３の環境負荷ＤＢ２５には、制御部１２が勤務時間帯作成処理で算出した環境負荷を低減した各事業所の月別の勤務時間帯のデータが格納される。
【００５８】
滞在時間ＤＢ２６には、各社員の１年間の事業所毎の滞在時間のデータが格納される。図１３は、滞在時間ＤＢ２６に格納されるデータの一例を示す図である。同図に示すように、社員毎に、各事業所（青山事業所、大森事業所、新横浜事業所）の滞在時間のデータが格納される。なお、滞在時間ＤＢ２６に格納される、各社員の１年間の事業所毎の滞在時間のデータは、制御部１２が、スケジュールＤＢ１５に登録される社員のスケジュールを参照して、各社員の事業所毎の滞在時間のデータを滞在時間ＤＢ２６に登録することにしても良い。
【００５９】
レイアウト基本データＤＢ２７には、事業所毎のレイアウトの基本データ（フロア数、各フロアの収容可能人数（定員）が格納されている。図１４は、レイアウト基本データＤＢ２７に格納されるデータの一例を示す図である。
【００６０】
第４の環境負荷ＤＢ２８には、制御部１２がレイアウト決定処理で作成した事業所の環境負荷を低減したレイアウトのデータが格納される。
【００６１】
（クライアント端末の構成）
図１５は、図１のクライアント端末２のハード構成例を示すブロック図である。同図に示すクライアント端末２は、操作指示を与える入力部３１と、外部とデータ通信を行うためのデータ通信部３２と、表示部３３と、装置全体の制御を司るＣＰＵ３４と、記録媒体３６のデータのリード／ライトを行う記録媒体ドライブ装置３５と、ＣＰＵ３４を動作させるプログラム等を格納した記録媒体３６と、およびＣＰＵ３４のワークエリアとして使用されるＲＡＭ３７と、を備えている。各部は、バスを介して互いに接続されている。
【００６２】
上記入力部２１は、カーソルキー、数字入力キーおよび各種機能キー等を備えたキーボード、マウス、並びに画像を読みとるスキャナ等からなる。この入力部３１は、必ずしも端末２にローカルに接続される必要はなく、ＰＨＳ・リモートターミナル（例えば、Ｐｅｒｓｏｎａｌ  Ｄｉｇｉｔａｌ  Ａｓｓｉｓｔａｎｔ）等のリモート装置や、当該端末２と双方向でデータ通信が可能な装置等を入力手段として使用しても良い。また、入力部３１は、ＣＰＵ２４に操作コマンドを与えて動作させるためのユーザーインターフェースである。なお、入力部３１としては、上記したものに限られるものではなく、タッチパネル、トラックボールや音声認識機構等を用いても良い。
【００６３】
上記表示部３３は、ＣＲＴ（Ｃａｔｈｏｄ  Ｒａｙ  Ｔｕｂｅ）、ＬＣＤ（Ｌｉｑｕｉｄ  Ｃｒｙｓｔａｌ  Ｄｉｓｐｌａｙ）や、プラズマディスプレイ等により構成され、ＣＰＵ３４から入力される表示データに応じた表示が行われる。
【００６４】
上記ＣＰＵ３４は、例えば、３２ビットマイクロプロセッサ、他のマイクロプロセッサ、ＤＳＰ（Ｄｉｇｉｔａｌ  Ｓｉｇｎａｌ  Ｐｒｏｓｅｓｓｏｒ）や、プログラマブルロジック等からなる。また、ＣＰＵ２４は、必ずしもシングルプロセッサである必要はなく、分散処理をするタイプのものでも良い。このＣＰＵ３４は、記録媒体３６に格納されているプログラムに従って、装置全体を制御する中央制御ユニットであり、このＣＰＵ３４は、入力部３１、表示部３３、データ通信部３２、記録媒体ドライブ装置３５、およびＲＡＭ３７が接続されており、データ通信、メモリへのアクセスによるアプリケーションプログラムの読み出しや各種データのリード／ライト、データ／コマンド入力、カラー表示等を制御する。
【００６５】
上記データ通信部３２は、電話回線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＬＡＮ（Ｌｏｃａｌ  Ａｒｅａ  Ｎｅｔｗｏｒｋ）や、ＷＡＮ（Ｗｉｄｅ  Ａｒｅａ  Ｎｅｔｗｏｒｋ）等のネットワークに接続され、内蔵したモデム（図示せず）を経て電話回線を介してデータ通信を行う。
【００６６】
上記記録媒体３６は、ＣＰＵ３４が実行可能なＯＳプログラム（例えば、ＷＩＮＤＯＷＳ（Ｒ））３６ａおよびアプリケーションプログラム等の各種プログラムやデータを格納する。アプリケーションプログラムとしては、スケジューラー３６ｂ等が格納されている。上述の記録媒体３６は、例えば、フロッピー（Ｒ）ディスク、ハードディスク、ＣＤ−ＲＯＭ、ＤＶＤ−ＲＯＭ、ＭＯやＰＣカード等の光学的・磁気的・電気的な記録媒体からなる。上記各種プログラムは、ＣＰＵ３４が直接または間接に解釈可能なオブジェクトコードやソースコード等の形態で記録媒体３６に格納されている。記録媒体３６に格納されたプログラムはネットワークを介して配信可能である。
【００６７】
スケジューラ３６ｂでは、自己のスケジュールや、出勤時間、退社時間が入力される。この入力されたデータは、ビジネススタイル選択サーバ１に送信されて、スケジュールＤＢ１５に登録される。
【００６８】
上記ＲＡＭ３７は、指定されたプログラム、入力指示、入力データおよび処理結果等を格納するワークメモリと、表示部３３の表示画面に表示する表示データを一時的に格納する表示メモリとを備えている。
【００６９】
（会議スタイルの決定処理）
つぎに、会議スタイルの決定処理におけるビジネススタイル選択サーバ１およびクライアント端末２の処理を図１６〜図１９を参照して説明する。図１６は、会議スタイルの決定処理におけるビジネススタイル選択サーバ１およびクライアント端末２の処理を説明するための処理フロー、図１７および図１８は、ビジネススタイル選択のリクエスト入力画面の表示例、図１９は会議開催通知画面の表示例を示している。なお、本明細書において、「会議スタイル」とは、会議の時間帯、場所、アジェンダ、コンテンツ、プレゼンテーション方法、および使用する機器等の会議に関連する事項を広く含むものを言う。
【００７０】
図１６において、クライアント端末２では、ビジネススタイル選択サーバ１から提供される会議スタイルの入力画面で、会議開催の基本情報（会議の目的（決済、周知、報告、アイディア出し（ブレス）等）、会議の参加者とその役割、会議の開催希望月、会議時間、配布資料枚数）をを入力して、会議開催の基本情報（会議の目的（決済、周知、報告、アイディア出し（ブレス）等）、会議の参加者とその役割、会議の開催希望月、会議時間、配布資料の枚数）をビジネススタイル選択サーバ１に送信する（ステップＳ１）。
【００７１】
図１７は、会議スタイルの入力画面の表示例を示す図である。会議スタイルの入力画面には、”会議の目的”、”会議の参加者とその役割”、”会議の開催希望月”、”会議時間”、”配布資料枚数（参加者へ配布する資料の枚数）”の入力欄と、「送信」ボタンが表示される。図１８は、会議スタイルの入力画面でのデータ入力例を示している。同図では、”会議の目的”として、”新規事業投資の決済”、”会議の参加者とその役割”として、”Ａ（決裁者）、Ｂ（常任メンバー）、Ｃ（常任メンバー）、Ｄ（報告者）、Ｅ（報告者）、Ｆ（議事録作成）”、”会議の開催希望月”として”８月”、”会議時間”として”１時間”、”配布資料枚数”として”５枚”が入力されている。ここで「送信」ボタンが押されると、この入力されたデータがビジネススタイル選択サーバ１に送信される。
【００７２】
ビジネススタイル選択サーバ１では、制御部１２は、クライアント端末１から、会議開催の基本情報（会議の目的（決済、周知、報告、アイディア出し（ブレス）等）、会議の参加者とその役割、会議の開催希望月、会議時間、配布資料枚数）を通信制御部１１を介して受信すると（ステップＴ１）、制御部１２は、受信した会議の各参加者の勤務する事業所を人事ＤＢ１４から検索する（ステップＴ２）。制御部１２は、会議を行う事業所を、各参加者の所属する事業所からの移動距離の合計が最も少ない事業所に決定する（ステップＴ３）。これは、移動に伴う環境負荷を低減するためである。具体的には、移動距離が長くなると、移動に車等を使用した場合に環境負荷が大きくなってしまうからである（例えば、排気ガスやガソリンの消費）。例えば、図１８に示すようなデータが入力された場合には、上記図４の人事ＤＢ１４に示すように、４名が横浜事業所に、２名が青山事業者に所属しているので、会議の場所は横浜事業所に決定する。
【００７３】
制御部１２は、プレゼンテーション用機器ＤＢ１８を参照して、配布資料枚数×参加者の数×コピー１枚当たりの電気使用量を演算して、コピー機を使用した場合の電気使用量を算出し、また、会議時間×プロジェクタの単位時間当たりの電気使用量を演算して、プロジェクタを使用した場合の電気使用量を算出する。制御部１２は、電気使用量の少ない機器をプレゼンテーション用機器として選択する（ステップＴ４）。
【００７４】
つづいて、制御部１２は、スケジュールＤＢ１５を参照して、会議の参加者のスケジュールが空いている日時を会議の開催日時として決定する（ステップＴ５）。会議の開催日時を決定する場合は、全参加者のスケジュールが空いている日時を会議の開催日時として決定しても良いし、また、会議にとって重要な参加者（決裁者や常任メンバー等）のスケジュールを優先させて会議の開催日時を決定することにしても良い。
【００７５】
この後、制御部１２は、会議室ＤＢ１６から、決定した開催日時に会議場所として決定した事業所で空いている会議室およびその単位時間当たりの照明電気使用量および空調電気使用量を検索して、検索した各会議室について、会議時間×単位時間当たりの照明電気使用量および空調電気使用量を演算して、照明および空調の総電気使用量を算出する（ステップＴ６）。
【００７６】
制御部１２は、検索した会議室で、照明および空調の総電気使用量の小さい５つを選択して、小さい順に、環境負荷順位、会議室、開催日時、照明および空調の総電気使用量、選択したプレゼンテーション用機器、選択したプレゼンテーション用機器の電気使用量を会議の環境負荷データとして第２の環境負荷ＤＢ２２に格納する（ステップＴ７）。上記図７は、第１の環境負荷ＤＢ１７に格納されるデータの一例を示している。この第１の環境負荷ＤＢ１７に格納されるデータは、クライアント端末２から参照可能となっている。
【００７７】
この後、制御部１２は、環境負荷（総電気使用量）が最も小さい会議室、環境負荷（電気使用量）が最も小さいプレゼンテーション用機器（プレゼンテーション方法）、開催日時、会議の目的、および会議の参加者のデータ、を含む会議開催通知画面のデータを作成して、通信制御部１１を介して、会議参加者のクライアント端末２に送信する（ステップＴ８）。また、制御部１２は、会議室ＤＢ１６で、選択した環境負荷が最も小さい会議室の決定した開催日時の予約を行う。。
【００７８】
クライアント端末２は、この会議開催通知画面のデータを受信すると（ステップＳ２）、会議開催通知画面を表示部２３に表示する（ステップＳ３）。
【００７９】
図１９は、会議開催通知画面の一例を示す図である。同図に示すように、会議開催通知画面には、”開催日時”、”開催場所”、”プレゼンテーション方法”、”会議の目的”、”会議の参加者”が表示されており、同図に示す例では、”開催日時”として、８月１０日（火曜日）ＡＭ９：００〜１０：００、”開催場所（会議室）”として”横浜事業所７０１会議室”、”プレゼンテーション方法”として”資料の配付”が表示されている。
【００８０】
以上説明したように、会議スタイル選択処理では、ビジネススタイル選択サーバ１の制御部１２は、クライアント端末２から送出される、参加者情報を含む会議開催の基本情報（会議の目的（決済、周知、報告、アイディア出し（ブレス）等）、会議の参加者とその役割、会議の開催希望月、会議時間、配布資料枚数）が入力されると、入力された情報に基づいて、環境負荷の小さい会議スタイルを選択してクライアント端末２に送信することとしたので、環境負荷を低減した会議スタイルを選択することが可能となる。
【００８１】
また、制御部１２は、人事ＤＢ１４から会議参加者が勤務する事業所を検索し、各会議参加者の勤務する事業所からの移動距離の総和が最も小さい事業所を会議場所として選択することとしたので、移動に伴う環境負荷を低減することが可能となる。
【００８２】
また、制御部１２は、スケジュールＤＢ１５を参照して、開催希望月で会議参加者のスケジュールが空いている日時を検索して、会議の開催日時を決定することとしたので、会議開催のためのスケジュール調整の手間を省くことが可能となる。
【００８３】
また、制御部１２は、会議室ＤＢ１６を参照して、決定した開催日時および会議場所として決定した事業所で空いている会議室を検索し、さらに、検索した会議室の照明電気使用量および空調電気使用量を検索して、電気使用量が最も小さい会議室を選択することとしたので、環境負荷が最も小さい会議室を選択することが可能となる。
【００８４】
また、制御部１２は、配布資料の枚数および会議参加者の人数に基づいて、プレゼンテーション用機器ＤＢ１８を参照して、電気使用量の最も少ないプレゼンテーション用機器を選択することとしたので、プレゼンテーション用機器による環境負荷を低減することが可能となる。
【００８５】
なお、上記した会議スタイル選択処理では、会議室ＤＢ１６に各会議室の単位時間当たりの照明および空調の電気使用量を格納することとしたが、時間帯別の照明および空調の電気使用量を格納して、電気使用量が最も少ない時間帯を会議の時間帯に選択することにしても良い。
【００８６】
また、会議の目的に応じて、会議の時間帯やプレゼン形態を選択することにしても良い。また、参加者が朝型か夜型かに応じて会議の時間帯を選択することにしても良い。
【００８７】
（商品選択処理）
つぎに、商品選択処理におけるビジネススタイル選択サーバ１およびクライアント端末２の処理を図２０〜図２３を参照して説明する。図２０は、商品選択処理におけるビジネススタイル選択サーバ１およびクライアント端末２の処理を説明するための処理フロー、図２１〜図２３は、クライアント端末２の表示部２３に表示される画面の表示例を示している。
【００８８】
図２０において、クライアント端末２では、ビジネススタイル選択サーバ１から提供され、表示部２３に表示される商品の選択の申込み画面で、商品の購入（購買）希望情報（氏名、希望する商品の種類、希望する商品の性能／機能、購入限度価格、および購入先の住所）を入力して、ビジネススタイル選択サーバ１に送信する（ステップＳ１１）。
【００８９】
図２１は、商品の選択の申込み画面の表示例を示す図である。商品の選択の申し込み画面には、”氏名”、”希望する商品の種類”、”希望する商品の性能／機能”、”購入限度価格”、”購入先の住所”の入力欄と、「送信」ボタンが表示されている。図２２は、商品の選択の申込み画面でのデータの入力例を示す図である。同図では、”氏名”として、”山田太郎”、”希望する商品の種類”として”テレビ”、”希望する商品の性能／機能”として、”２７型液晶テレビ、衛星チュナー内蔵”、”購入限度価格”として”５０万円”、”納品先の住所”として”千代田区霞ヶ関Ｘ−Ｘ−Ｘ”が入力されている。ここで、「送信」ボタンが押されると、この入力されたデータがビジネススタイル選択サーバ１に送信される。
【００９０】
ビジネススタイル選択サーバ１では、制御部１２は、通信制御部１１を介して商品の購入希望情報（氏名、希望する商品の種類、希望する商品の性能／機能、購入限度価格、購入先の住所）のデータを受信すると（ステップＴ１１）、制御部１２は、受信した希望する商品の種類、希望する商品の性能／機能、および購入限度価格に該当する商品を商品ＤＢ１９から検索する（ステップＴ１２）。
【００９１】
制御部１２は、商品ＤＢ１９で検索した商品の環境負荷値Ａを商品負荷ＤＢ２０から検索する（ステップＴ１３）。そして、制御部１２は、検索した商品の在庫先を商品ＤＢ１９で検索し、つづいて、移動負荷ＤＢ２１を参照して、地図データを使用して在庫先から購入先の住所までの移動距離を算出し、移動距離×単位移動距離当たりの排気ガス量を演算して、環境負荷値Ｂを算出する（ステップＴ１４）。
【００９２】
制御部１２は、検索した各商品の環境負荷値＝環境負荷値Ａ＋環境負荷値Ｂを演算して、環境負荷値が小さい５つを選択して、環境負荷順位、商品名、環境負荷値Ａ、環境負荷値Ｂ、環境負荷値のデータを第２の環境負荷ＤＢ２２に格納する（ステップＴ１５）。上記図１０は、第２の環境負荷ＤＢ２２に格納されるデータの一例を示している。この第２の環境負荷ＤＢ２２に格納されるデータは、クライアント端末２から参照可能となっている。
【００９３】
この後、制御部１２は、環境負荷値が最も小さい商品のデータを含む商品選択結果画面のデータを、通信制御部１１を介してクライアント端末２に送信する（ステップＴ１６）。この後、制御部１２は、当該商品の発注を行う（ステップＴ１７）。
【００９４】
クライアント端末１は、商品選択結果画面のデータを受信すると（ステップＳ１２）、商品選択結果画面をその表示部２３に表示する（ステップＳ１３）。図２３は、商品選択結果画面の一例を示す図である。同図に示すように、商品選択結果画面には、”申込み内容の確認”と、”商品選択結果”が表示され、”商品選択結果”として、”商品名”、”環境負荷値Ａ”、”環境負荷値Ｂ”、”環境負荷値”、”価格”が表示される。同図に示す例では、”商品名”として、”Ｃ社Ｃ１”、”環境負荷値Ａ”として”３”、”環境負荷値Ｂ”として”４”、”環境負荷値”として”７”、”価格”として”Ｐ１”が表示されている。
【００９５】
以上説明したように、商品選択処理では、ビジネススタイル選択サーバ１では、制御部１２は、クライアント端末２から、商品の購入希望情報（氏名、希望する商品の種類、希望する商品の性能／機能、購入限度価格、および購入先の住所）が入力されると、商品ＤＢ１９から購入したい商品の種類、要求する機能／性能、および購入限度額に該当する商品を検索し、検索した商品のうち最も環境負荷の小さい商品を選択して、その情報をクライアント端末２に送信することとしたので、購入者は、予算内で必要な機能を有する最も環境負荷の低い商品を選択することが可能となる。
【００９６】
また、制御部１２は、商品自体が環境に与える環境負荷値Ａと車による納品で環境に与える環境負荷値Ｂとの和を環境負荷値として算出しているので、商品自体が環境に与える環境負荷と車による納品で環境に与える環境負荷の両者についての環境負荷を考慮することができ、商品を購入する場合の環境負荷を正確に把握することが可能となる。
【００９７】
なお、上記した商品選択処理では、環境負荷値Ｂを算出する場合に、車の排気ガス量に基づいて算出しているが、消費されるガソリン量も環境負荷値Ｂを算出する際に使用することにしても良い。
【００９８】
（勤務時間帯作成処理）
つぎに、勤務時間帯作成処理におけるビジネススタイル選択サーバ１およびクライアント端末２の処理を図２４〜図２７を参照して説明する。図２４は、勤務時間帯作成処理におけるビジネススタイル選択サーバ１およびクライアント端末２の処理を説明するための処理フロー、図２５および図２６は、勤務時間帯作成の入力画面の表示例、図２７は、作成された勤務時間帯の表示例を示している。
【００９９】
図２４において、クライアント端末２では、クライアント端末２のリクエストに応じてビジネススタイル選択サーバ１から提供される勤務時間帯作成の入力画面で、”事業所名”と、その所在する”地域名”を入力して、”事業所名”および”地域名”をビジネススタイル選択サーバ２に送信する（ステップＳ３１）。
【０１００】
図２５は、勤務時間帯作成の入力画面の表示例を示す図である。勤務時間帯作成の入力画面には、”事業所名”と”地域名”の入力欄と、「送信」ボタンが表示される。図２６は、勤務時間帯作成の入力画面でのデータ入力例を示している。同図では、”事業所名”として、”大森事業所”、”地域名”として、”東京”が入力されている。ここで「送信」ボタンが押されると、この入力されたデータが勤務時間帯サーバ１に送信される。
【０１０１】
ビジネススタイル選択サーバ１では、制御部１２は、クライアント端末２から、”事業所名”および”地域名”を通信制御部１１を介して受信すると（ステップＴ３１）、気温ＤＢ２４を参照して、指定された事業所の各月毎の勤務時間帯を算出する（ステップＴ３２〜Ｔ３８）。
【０１０２】
制御部１２は、以下のルールに基づいて勤務時間帯を決定する。
ルール１：１日の勤務時間帯の長さは８時間とする。
ルール２：始業時間の下限は、７時とする。
ルール３：終業時間の上限は、２１時とする。
ルール４：オフィスの快適温度を、２５℃とする。
ルール５：各オフィスは、冷暖房の空調施設を備えており、室温が２５℃になるように空調施設が設定されているものとする。
【０１０３】
具体的には、制御部１２は、まず、カウンタＴ＝０とした後（ステップＴ３２）、Ｔ＝Ｔ＋１の演算を行う（ステップＴ３３）。制御部１２は、指定された地域のＴ月の各時間帯の平均気温のデータを気温ＤＢ２４から読み出す（ステップＴ３４）。制御部１２は、読み出したＴ月の各時間帯の平均気温のデータに基づいて、連続した８時間の勤務時間（複数の勤務時間帯候補）の平均気温の総計Ｓｓ〜ｅを各々算出する（ステップＴ３５）。具体的には、複数の勤務時間帯候補７時〜１５時、８時〜１６時、９時〜１７時，１０時〜１８時、１１時〜１９時、１２時〜２０時、および１３時〜２１時の平均気温の総計Ｓ７〜１５、Ｓ８〜１６、Ｓ９〜１７、Ｓ１０〜１８，Ｓ１１〜１９、Ｓ１２〜２０、およびＳ１３〜２１を各々算出する。
【０１０４】
そして、制御部１２は、基準値である快適温度の総計Ｓｓ（＝２５℃×８時間＝２００）から勤務時間帯候補（７時〜１５時、８時〜１６時、９時〜１７時、１０時〜１８時、１１時〜１９時、１２時〜２０時、１３時〜２１時）の平均気温の総計Ｓ７〜１５、Ｓ８〜１６、Ｓ９〜１７、Ｓ１０〜１８，Ｓ１１〜１９、Ｓ１２〜２０、Ｓ１３〜２１をそれぞれ減算し、その絶対値をそれぞれ算出する（ステップＴ３６）。制御部１２は、その絶対値が最小となる時間帯を勤務時間帯として決定する（ステップＴ３７）。
【０１０５】
この後、制御部１２は、Ｔ≧１２であるか否かを判断し（ステップＴ３８）、Ｔ≧１２の場合には（ステップＴ３８の「Ｙ」）、ステップＴ３９に移行し、Ｔ＜１２の場合には（ステップＴ３８の「Ｎ」）、ステップＴ３３に戻り、Ｔ≧１２となるまで同じ処理を繰り返し実行する。このようにして、各月の勤務時間帯を決定することにより、空調設備の電気使用量を低減することができ、環境負荷を低減することが可能となる。
【０１０６】
ステップＴ３９では、制御部１２は、指定された事業所の算出した各月別（１月〜１２月）の勤務時間帯のデータを第３の環境負荷ＤＢ２５に格納するとともに、指定された事業所名と、算出した各月別の勤務時間帯のデータを含む勤務時間帯通知画面のデータを作成して、リクエスト元のクライアント端末２に送信する（ステップＴ４０）。
【０１０７】
クライアント端末２は、ビジネススタイル選択サーバ１から勤務時間帯通知画面のデータを受信すると（ステップＳ４２）、勤務時間帯通知画面を表示部２３に表示する（ステップＳ４３）。
【０１０８】
図２７は、勤務時間帯通知画面の一例を示す図である。同図に示すように、勤務時間帯通知画面には、”指定された事業所”の”各月の勤務時間帯”が表示されており、同図に示す例では、”大森事業所”の”１月の勤務時間”として、”１０時〜１８時”、”２月の勤務時間”として、”１１時〜１９時”、”３月の勤務時間”として、”１０時〜１８時”、”４月の勤務時間”として、”９時〜１７時””５月の勤務時間”として、”９時〜１７時”、”８月の勤務時間”として、”７時〜１５時”、”９月の勤務時間”として、”８時〜１６時”、”１０月の勤務時間”として、”９時〜１７時”、”１１月の勤務時間”として、”９時〜１７時”、”１２月の勤務時間”として、”１０時〜１８時”が表示されている。
【０１０９】
以上説明したように、勤務時間帯作成処理によれば、ビジネススタイル選択サーバ１では、制御部１２は、クライアント端末１から事業所の情報（事業所名およびその地域名）が入力されると、入力された情報に基づいて、気温ＤＢ２４を参照して、環境負荷を低減した当該事業所の勤務時間帯を作成し、作成した勤務時間帯をクライアント端末２に送信することとしたので、環境負荷を低減することが可能な事業所の勤務時間帯を作成することが可能となる。
【０１１０】
また、気温ＤＢ２４は、各地域の各月毎の時間帯別の平均気温の情報を格納しており、制御部１２は、気温ＤＢ２４から、事業所の所在する地域の各月毎の時間帯別の平均気温の情報を検索し、検索した各月毎の時間帯別の平均気温の情報に基づいて、事業所の各月毎の勤務時間帯を作成することとしたので、平均気温に応じて、各月毎に環境負荷の少ない勤務時間帯を作成することができ、冷暖房の空調設備の電気使用量を低減することが可能となる。具体的には、朝方が寒い時期（冬）には、始業時間を遅らせて暖房の負荷を低減でき、また、朝方が涼しい時期（夏）には、始業時間を早めて冷房の負荷を低減でき、冷暖房の空調設備の電気使用量を低減させることが可能となる。
【０１１１】
なお、上記した勤務時間帯作成処理では、事業所の勤務時間帯を作成する場合に、事務所が所在する地域の各月の時間帯別の平均気温に基づいて作成することとしたが、事業所が所在する地域の各月の時間帯別の日照時間に基づいて事業所の勤務時間帯を作成することにしても良い。これにより、照明の電気使用量を低減することが可能となる。また、当該平均気温および日照時間の両者に基づいて作成することにしても良い。
【０１１２】
また、上記した勤務時間帯作成処理では、１日の標準の勤務時間を８時間とし、事業所毎に勤務時間帯を決定することとしたが、事業所の各部署の勤務時間帯の長さをを業務の忙しさに応じて各月毎に決定することにしても良い。この場合には、制御部１２は、勤務時間帯ＤＢ２６の該当する部署の各月毎の勤務時間の情報を参照して、実際の業務の忙しさに応じて、各月の勤務時間帯の長さを標準の勤務時間よりも長く（例えば、９時間）または短く（例えば、７時間）することにしても良い。そして、決定した勤務時間帯の長さで、上記した方法により、環境負荷を低減可能な勤務時間帯を決定する。
【０１１３】
例えば、エアコン事業部の場合には、エアコンが売れる７月〜８月に製品を出荷するため、３月〜７月の間の勤務時間帯の長さを長くし、９月〜１２月の勤務時間帯の長さを短くする。また、ＴＶ事業部の場合には、年末にＴＶがよく売れるため、８月〜３月の間の勤務時間帯の長さを長くし、また、４月〜７月の勤務時間帯の長さを短くする。
【０１１４】
（レイアウト決定処理）
つぎに、レイアウト決定処理におけるビジネススタイル選択サーバ１およびクライアント端末２の処理を図２８〜図３２を参照して説明する。図２８は、レイアウト決定処理におけるビジネススタイル選択サーバ１およびクライアント端末２の処理を説明するための処理フロー、図２９および図３０は、レイアウト決定の入力画面の表示例、図３１は、勤務時間帯の類似度を説明するための説明図、図３２はレイアウトの通知画面の表示例を示している。
【０１１５】
図２８において、クライアント端末２では、クライアント端末２のリクエストに応じてビジネススタイル選択サーバ１から提供されるレイアウト決定の入力画面で、事業所名、当該事業所に配置する部署名、および各部署の人員数を入力して、事業所名、当該事業所に配置する部署名、および各部署の人員数をビジネススタイル選択サーバ１に送信する（ステップＳ５１）。
【０１１６】
図２９は、レイアウト決定の入力画面の表示例を示す図である。レイアウト決定の入力画面には、”事業所名”、当該事業所に配置する”部署名”、各部署の”人員数”の入力欄と、「送信」ボタンが表示される。図３０は、レイアウト決定の入力画面でのデータ入力例を示している。同図では、”事業所名”として、”大森事業所”、当該事業所に配置する”部署名”として、”Ａ〜Ｆ部署”、各部署の”人員数”として、”６０名、３０名、８０名、２０名、５０名、４０名、３０名、６０名”が入力されている。ここで、「送信」ボタンが押されると、この入力されたデータがビジネススタイル選択サーバ１に送信される。
【０１１７】
ビジネススタイル選択サーバ１では、制御部１２は、クライアント端末１から、”事業所名”、当該事業所に配置する”部署名”、各部署の”人員数”を、通信制御部１１を介して受信すると（ステップＴ５１）、制御部１２は、受信した事業所の各フロアーの収容可能人数（定員）を、レイアウト基本ＤＢ２７から検索する（ステップＴ５２）。
【０１１８】
制御部１２は、事業所の各フロアーの定員数以内となる部署の組み合わせ（ｎ通り）を算出し（ステップＴ５３）、各部署の１年間（各月毎）の勤務時間帯のデータを勤務時間帯ＤＢ２３から検索する（ステップＴ５４）。そして、制御部１２は、各組み合わせ（ｎ通り）について、各フロアー毎に部署間の各月毎の勤務時間帯の類似度を算出する（ステップＴ５５）。ここで、類似度は、「１」〜「１００」までの数値で表現され、数値が高い方が類似していることを示している。
【０１１９】
図３１は、勤務時間帯の類似度を説明するための説明図である。同図は、同一事業所の各部署（人事部、経理部、設計部）の一年間の各月毎の勤務時間帯のデータの一例を示している。同図において、例えば、人事部と経理部は、勤務時間帯の類似度が高いので、基本的に同一のフロアとし、設計部は、人事部および経理部と勤務時間帯の類似度が低いので他のフロアーとする。
【０１２０】
そして、制御部１５は、各組み合わせ（ｎ通り）毎に、類似度の総計を算出すし（ステップＴ５６）、類似度の総計が最も高くなる組み合わせを当該事業所のレイアウトとして決定して、第４の環境負荷ＤＢ２８に格納する（ステップＴ５７）。
【０１２１】
ここで、具体例を説明する。例えば、上記図３０に示すように、横浜事業所がリクエストされた場合には、レイアウト基本データＤＢ２７から横浜事業所のデータが読み出される。横浜事業所は、４フロアー、各フロアーの収容可能人数（定員）が１００名となっている（図１４参照）。
【０１２２】
まず、４つのフロアーに配置する部署の組み合わせを算出する（上記ステップＴ３）。例えば、第１の組み合わせとして、（Ａ部署＝６０名、Ｂ部署＝３０名）、（Ｃ部署＝８０名、Ｄ部署＝２０名）、（Ｅ部署５０名、Ｆ部署＝４０名）、（Ｇ部署＝３０名、Ｈ部署＝６０名）、第２の組み合わせとして、（Ａ部署＝６０名、Ｆ部署＝４０名）、（Ｃ部署＝８０名、Ｄ部署＝２０名）、（Ｂ部署３０名、Ｆ部署＝４０名）、（Ｇ部署＝３０名、Ｈ部署＝６０名）、第３の組み合わせとして、・・・・、第ｎの組み合わせとして、・・・・となる。
【０１２３】
つぎに、各組み合わせの各フロアー毎の勤務時間帯の類似度を算出する（上記ステップＴ５５）。例えば、第１の組み合わせの各フロアーの勤務時間帯の類似度は、（Ａ部署＝６０名、Ｂ部署＝３０名）の類似度Ｂ１、（Ｃ部署＝８０名、Ｄ部署＝２０名）の類似度Ｂ２、（Ｅ部署５０名、Ｆ部署＝４０名）類似度Ｂ３、（Ｇ部署＝３０名、Ｈ部署＝６０名）類似度Ｂ４、第２の組み合わせの各フロアーの類似度は、（Ａ部署＝６０名、Ｆ部署＝４０名）の類似度Ｂ５、（Ｃ部署＝８０名、Ｄ部署＝２０名）の類似度Ｂ６、（Ｂ部署３０名、Ｆ部署＝４０名）の類似度Ｂ７、（Ｇ部署＝３０名、Ｈ部署＝６０名）の類似度Ｂ８、第３の組み合わせの各フロアーの類似度は、・・・・、第ｎの組み合わせの各フロアーの類似度は、・・・・となる。
【０１２４】
制御部１２は、各組み合わせの類似度の総計を算出する（上記ステップＴ５６）。例えば、第１の組み合わせの類似度の総計は、Ｓ１＝Ｂ１＋Ｂ２＋Ｂ３＋Ｂ４、第２の組み合わせの類似度の総計は、Ｓ２＝Ｂ５＋Ｂ６＋Ｂ７＋Ｂ８、・・・、第ｎの組み合わせの類似度の総計は、Ｓｎとなる。
【０１２５】
制御部１２は、各組み合わせの類似度の総計Ｓ１〜Ｓｎの中で、総計が最も大きい組み合わせを事業所のレイアウトとして決定して、環境負荷ＤＢ１７に格納する（上記ステップＴ５７）。
【０１２６】
最後に、制御部１２は、決定したレイアウトの通知画面データをリクエスト先のクライアント端末に送信する（ステップＴ５８）。
【０１２７】
クライアント端末２は、このレイアウトの通知画面データを受信すると（ステップＳ５２）、レイアウトの通知画面を表示部２３に表示する（ステップＳ５３）。
【０１２８】
図３２は、レイアウトの通知画面の一例を示す図である。同図に示すように、レイアウトの通知画面には、指定された事業所で同一のフロアーに配置する組み合わせが表示されており、同図に示す例では、”第１のフロアー”として、”Ａ部署とＢ部署”、”第２のフロアー”として、”Ｃ部署とＨ部署”、”第３のフロアー”として、”Ｃ部署とＤ部署”、”第４のフロアー”として、”Ｅ部署とＦ部署”が表示されている。
【０１２９】
なお、ここでは、同一のフロアーに配置する組み合わせのみを決定しているが、さらに、どの階のフロアーに配置するかを決定する場合には、外出の多い部署を低い階に配置することにしても良い。これにより、エレベータの使用量を低減でき、エレベータの電気使用量を低減することが可能となる。
【０１３０】
以上説明したように、レイアウト決定処理によれば、ビジネススタイル選択サーバ１では、制御部１２は、クライアント端末２から送出される事業所の情報（事業所名、当該事業所に配置される部署名、および各部署の人員数）が入力されると、入力された情報に基づいて、勤務時間帯ＤＢ２６およびレイアウト基本データＤＢ２７を参照して、当該事業所の環境負荷を低減したレイアウトを決定して、クライアント端末２に送信することとしたので、環境負荷を低減することが可能なオフィスのレイアウトを作成することが可能となる。
【０１３１】
また、制御部１２は、レイアウトを決定する場合に、勤務時間帯が類似する部署を同一のフロアーとすることとしたので、各フロアーで空調や照明を可動させる時間帯を共通にすることができ、空調や照明設備の電気使用量を低減することが可能となる。
【０１３２】
なお、ビジネススタイル選択サーバ１では、制御部１２は、クライアント端末２からの社員の勤務場所のリクエストに応じて、滞在時間ＤＢ２６（図１３参照）を参照して、最も滞在時間の長い事業所を勤務場所として決定して、その決定した勤務場所をクライアント端末２に送信することにしても良い。これにより、移動等に伴う環境負荷を低減することが可能となる。上記図１３において、例えば、Ａさんの場合は、滞在時間が、青山事業所が６００時間、大森事業所が３００時間、新横浜事業所が２０時間となっており、Ａさんの勤務場所は、青山事業所となる。また、Ｂさんの場合は、滞在時間が、青山事業所が２００時間、大森事業所が７８０時間、新横浜事業所が５時間となっており、Ｂさんの勤務場所は、大森事業所となる。
【０１３３】
なお、本発明は上記した実施の形態に限定されるものではなく、発明の要旨を変更しない範囲で適宜変形して実行可能である。
【０１３４】
【発明の効果】
以上説明したように、請求項１にかかるビジネススタイル選択装置によれば、ネットワークを介して接続されるクライアント端末からのビジネススタイルの選択のリクエストに応じて、ビジネススタイルを選択するビジネススタイル選択装置において、前記クライアント端末から送出される、ビジネススタイルの基本情報を入力する入力手段と、ビジネススタイルを選択する場合のその環境負荷に関連する情報を記憶した記憶手段と、前記入力手段から入力されるビジネススタイルの基本情報に基づいて、前記記憶手段に記憶されている前記ビジネススタイルの環境負荷に関連する情報を参照して、環境負荷を低減したビジネススタイルを選択するビジネススタイル選択手段と、前記ビジネススタイル選択手段で選択された環境負荷を低減したビジネススタイルの情報を前記クライアント端末に送信する送信手段と、を備えたこととしたので、環境負荷を低減したビジネススタイルを選択することが可能となる。
【０１３５】
また、請求項２にかかるビジネススタイル選択装置によれば、請求項１にかかる発明において、前記ビジネススタイルは、社内の会議スタイルであり、前記入力手段は、前記クライアント端末から送出される、参加者情報を含む会議開催の基本情報を入力し、前記記憶手段は、会議スタイルを選択する場合のその環境負荷に関連する情報を記憶し、前記ビジネススタイル選択手段は、前記入力手段から入力される前記会議開催の基本情報に応じて、前記記憶手段に記憶されている前記会議スタイルの環境負荷に関連する情報を参照して、環境負荷を低減した会議スタイルを選択し、前記送信手段は、前記ビジネススタイル選択手段で選択された環境負荷を低減した会議スタイルの情報を前記クライアント端末に送信することとしたので、環境負荷を低減した会議スタイルを選択することが可能となる。
【０１３６】
また、請求項３にかかるビジネススタイル選択装置によれば、請求項１にかかる発明において、前記ビジネススタイルは、商品選択のスタイルであり、前記入力手段は、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、ビジネススタイル選択手段は、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、送信手段は、前記ビジネススタイル選択手段で選択された環境負荷を低減する商品の情報を、前記クライアント端末に送信することとしたので、環境負荷を低減した商品の選択を行うことが可能となる。
【０１３７】
また、請求項４にかかるビジネススタイル選択装置によれば、請求項１にかかる発明において、前記ビジネススタイルは、企業の勤務時間帯であり、前記入力手段は、前記クライアント端末から送出される、事業所の情報し、前記記憶手段は、勤務時間帯を選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、環境負荷を低減した当該事業所の勤務時間帯を選択し、前記送信手段は、ビジネススタイル選択手段で選択された、環境負荷を低減する当該事業所の勤務時間帯の情報を前記クライアント端末に送信することとしたので、環境負荷を低減した勤務時間帯を選択することが可能となる。
【０１３８】
また、請求項５にかかるビジネススタイル選択装置によれば、請求項１にかかる発明において、前記ビジネススタイルは、オフィスのレイアウトであり、前記入力手段は、前記クライアント端末から送出される、事業所の情報を入力し、記憶手段は、事業所のレイアウトを選択する場合のその環境負荷に関連する情報を記憶し、前記ビジネススタイル選択手段は、前記入力手段から入力される前記事業所の情報に基づいて、前記記憶手段に記憶されている前記環境負荷に関連する情報を参照して、当該事業所の環境負荷を低減したレイアウトを選択し、前記送信手段は、前記ビジネススタイル選択手段で選択された、環境負荷を低減したレイアウトの情報を前記クライアント端末に送信することとしたので、環境負荷を低減したオフィスのレイアウトを選択することが可能となる。
【０１３９】
また、請求項６にかかるビジネススタイル選択方法によれば、ネットワークを介して接続されるクライアント端末からのビジネススタイルの選択のリクエストに応じて、ビジネススタイルを選択するビジネススタイル選択方法において、前記クライアント端末から送出される、ビジネススタイルの基本情報を入力する入力工程と、前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、前記選択された環境負荷を低減したビジネススタイルの情報を前記クライアント端末に送信する送信工程と、を含むこととしたので、環境負荷を低減したビジネススタイルを選択することが可能となる。
【０１４０】
また、請求項７にかかるビジネススタイル選択方法によれば、請求項６にかかる発明において、前記ビジネススタイルは、社内の会議スタイルであり、前記入力工程では、前記クライアント端末から送出される、参加者情報を含む会議開催の基本情報を入力し、前記記憶手段は、会議スタイルを選択する場合のその環境負荷に関連する情報を記憶しており、前記ビジネススタイル選択手段では、前記入力工程で入力される前記会議開催の基本情報に応じて、前記記憶手段に記憶されている前記会議スタイルの環境負荷に関連する情報を参照して、環境負荷を低減した会議スタイルを選択し、前記送信工程では、前記ビジネススタイル選択手段で選択された環境負荷を低減した会議スタイルの情報を前記クライアント端末に送信することとしたので、環境負荷を低減した会議スタイルを選択することが可能となる。
【０１４１】
また、請求項８にかかるビジネススタイル選択方法によれば、請求項６にかかる発明において、前記ビジネススタイルは、商品選択のスタイルであり、前記入力工程では、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、前記送信工程では、前記ビジネススタイル選択工程で選択された環境負荷を低減する商品の情報を、前記クライアント端末に送信することとしたので、環境負荷を低減した商品の選択を行うことが可能となる。
【０１４２】
また、請求項９にかかるビジネススタイル選択方法によれば、請求項６にかかる発明において、前記ビジネススタイルは、企業の勤務時間帯であり、前記入力工程では、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信することとしたので、環境負荷を低減した勤務時間帯を選択することが可能となる。
【０１４３】
また、請求項１０にかかるビジネススタイル選択方法によれば、請求項６にかかる発明において、前記ビジネススタイルは、オフィスのレイアウトであり、前記入力工程では、前記クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信することとしたので、環境負荷を低減したオフィスのレアウトを選択することが可能となる。
【０１４４】
また、請求項１１にかかるコンピュータが実行するためのプログラムによれば、コンピュータでプログラムを実行することにより、ネットワークを介して接続されるクライアント端末から送出される、ビジネススタイルの基本情報を入力する入力工程と、前記入力されるビジネススタイルの基本情報に基づいて、記憶手段に記憶されている、ビジネススタイルを選択する場合のその環境負荷に関連する情報を参照して、環境負荷を低減したビジネススタイルを選択するビジネススタイル選択工程と、前記選択された環境負荷を低減したビジネススタイルの情報を前記クライアント端末に送信する送信工程と、をコンピュータに実行させることとしたので、環境負荷を低減したビジネススタイルを選択することが可能となる。
【０１４５】
また、請求項１２にかかるコンピュータが実行するためのプログラムによれば、請求項１１にかかる発明において、前記ビジネススタイルは、社内の会議スタイルであり、前記入力工程では、前記クライアント端末から送出される、参加者情報を含む会議開催の基本情報を入力し、前記記憶手段は、会議スタイルを選択する場合のその環境負荷に関連する情報を記憶しており、前記ビジネススタイル選択手段では、前記入力工程で入力される前記会議開催の基本情報に応じて、前記記憶手段に記憶されている前記会議スタイルの環境負荷に関連する情報を参照して、環境負荷を低減した会議スタイルを選択し、前記送信工程では、前記ビジネススタイル選択手段で選択された環境負荷を低減した会議スタイルの情報を前記クライアント端末に送信することとしたので、環境負荷を低減した会議スタイルを選択することが可能となる。
【０１４６】
また、請求項１３にかかるコンピュータが実行するためのプログラムによれば、請求項１１にかかる発明において、前記ビジネススタイルは、商品選択のスタイルであり、前記入力工程では、前記クライアント端末から送出される、商品の種類、要求する機能／性能、および限度額を入力し、前記記憶手段は、各種商品に対応させて、価格およびその機能／性能を記憶する第１の記憶手段と、前記各種商品に対応させて、商品の環境負荷に関連する情報を記憶する第２の記憶手段とを含み、前記ビジネススタイル選択工程では、前記入力手段で入力された購入したい商品の種類、要求する機能／性能、および購入限度額に該当する商品を、前記第１の記憶手段から検索し、当該検索した商品について、前記第２の記憶手段に記憶されている環境負荷に関連する情報を参照して、環境負荷の小さい商品を選択し、前記送信工程では、前記ビジネススタイル選択工程で選択された環境負荷を低減する商品の情報を、前記クライアント端末に送信することとしたので、環境負荷を低減する商品の選択を行うことが可能となる。
【０１４７】
また、請求項１４にかかるコンピュータが実行するためのプログラムによれば、請求項１１にかかる発明において、前記ビジネススタイルは、企業の勤務時間帯であり、前記入力工程では、前記クライアント端末から送出される、事業所の情報し、前記記憶手段は、勤務時間帯を選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、環境負荷を低減した当該事業所の勤務時間帯を選択し、前記送信工程では、ビジネススタイル選択工程で選択された、環境負荷を低減する当該事業所の勤務時間帯の情報を前記クライアント端末に送信することとしたので、環境負荷を低減する勤務時間帯を選択することが可能となる。
【０１４８】
また、請求項１５にかかるコンピュータが実行するためのプログラムによれば、請求項１１にかかる発明において、前記ビジネススタイルは、オフィスのレイアウトであり、前記入力工程では、前記クライアント端末から送出される、事業所の情報を入力し、記憶手段は、事業所のレイアウトを選択する場合のその環境負荷に関連する情報を記憶し、前記ビジネススタイル選択工程では、前記入力工程で入力される前記事業所の情報に基づいて、前記記憶手段に記憶されている前記環境負荷に関連する情報を参照して、当該事業所の環境負荷を低減したレイアウトを選択し、前記送信工程では、前記ビジネススタイル選択工程で選択された、環境負荷を低減したレイアウトの情報を前記クライアント端末に送信することとしたので、環境負荷を低減するオフィスのレイアウトを選択することが可能となる。
【図面の簡単な説明】
【図１】本発明にかかるビジネススタイル選択システムの全体構成を示す図である。
【図２】ビジネススタイルの選択画面の一例を示す図である。
【図３】図１のビジネススタイル選択サーバの構成例を示すブロック図である。
【図４】図３の人事ＤＢに格納されるデータの一例を示す図である。
【図５】図３のスケジュールＤＢに格納されるデータの一例を示す図である。
【図６】図３の会議室ＤＢに格納されるデータの一例を示す図である。
【図７】図３の第１の環境負荷ＤＢに格納されるデータの一例を示す図である。
【図８】図３の商品ＤＢに格納されるデータの一例を示す図である。
【図９】図３の商品負荷ＤＢに格納されるデータの一例を示す図である。
【図１０】図３の第２の環境負荷ＤＢに格納されるデータの一例を示す図である。
【図１１】図３の勤務時間帯ＤＢに格納されるデータの一例を示す図である。
【図１２】図３の気温ＤＢに格納されるデータの一例を示す図である。
【図１３】図３の滞在時間ＤＢに格納されるデータの一例を示す図である。
【図１４】図３のレイアウト基本データＤＢに格納されるデータの一例を示す図である。
【図１５】図１のクライアント端末のハード構成例を示すブロック図である。
【図１６】会議スタイルの決定処理におけるビジネススタイル選択サーバおよびクライアント端末２の処理を説明するための処理フローを示す図である。
【図１７】会議スタイル選択の入力画面の表示例を示す図である。
【図１８】会議スタイル選択の入力画面の表示例を示す図である。
【図１９】会議開催通知画面の表示例を示す図である。
【図２０】商品選択処理におけるビジネススタイル選択サーバおよびクライアント端末２の処理を説明するための処理フローを示す図である。
【図２１】商品選択の申込み画面の表示例を示す図である。
【図２２】商品選択の申込み画面の表示例を示す図である。
【図２３】商品選択結果画面の表示例を示す図である。
【図２４】勤務時間帯作成処理におけるビジネススタイル選択サーバおよびクライアント端末２の処理を説明するための処理フローを示す図である。
【図２５】勤務時間帯作成の入力画面の表示例を示す図である。
【図２６】勤務時間帯作成の入力画面の表示例を示す図である。
【図２７】勤務時間帯通知画面の表示例を示す図である。
【図２８】レイアウト決定処理におけるビジネススタイル選択サーバおよびクライアント端末の処理を説明するための処理フローを示す図である。
【図２９】レイアウト決定の入力画面の表示例を示す図である。
【図３０】レイアウト決定の入力画面の表示例を示す図である。
【図３１】勤務時間帯の類似度を説明するための説明図である。
【図３２】レイアウトの通知画面の一例を示す図である。
【符号の説明】
１    ビジネススタイル選択サーバ
２    クライアント端末
３    ネットワーク
１１  通信制御部
１２  制御部
１３  プログラム記憶部
１４  人事ＤＢ
１５  スケジュールＤＢ
１６  会議室ＤＢ
１７  第１の環境負荷ＤＢ
１８  プレゼンテーション用機器ＤＢ
１９  商品ＤＢ
２０  商品負荷ＤＢ
２１  移動負荷ＤＢ
２２  第２の環境負荷ＤＢ
２３  勤務時間帯ＤＢ
２４  気温ＤＢ
２５  第３の環境負荷ＤＢ
２６  滞在時間ＤＢ
２７  レイアウト基本データＤＢ
２８  第４の環境負荷ＤＢ
３１  入力部
３２  データ通信部
３３  表示部
３４  ＣＰＵ
３５  記録媒体ドライブ装置
３６  記録媒体
３７  ＲＡＭ
【図１】
2004252780.tif 000003
【図２】
2004252780.tif 000004
【図３】
2004252780.tif 000005
【図４】
2004252780.tif 000006
【図５】
2004252780.tif 000007
【図６】
2004252780.tif 000008
【図７】
2004252780.tif 000009
【図８】
2004252780.tif 000010
【図９】
2004252780.tif 000011
【図１０】
2004252780.tif 000012
【図１１】
2004252780.tif 000013
【図１２】
2004252780.tif 000014
【図１３】
2004252780.tif 000015
【図１４】
2004252780.tif 000016
【図１５】
2004252780.tif 000017
【図１６】
2004252780.tif 000018
【図１７】
2004252780.tif 000019
【図１８】
2004252780.tif 000020
【図１９】
2004252780.tif 000021
【図２０】
2004252780.tif 000022
【図２１】
2004252780.tif 000023
【図２２】
2004252780.tif 000024
【図２３】
2004252780.tif 000025
【図２４】
2004252780.tif 000026
【図２５】
2004252780.tif 000027
【図２６】
2004252780.tif 000028
【図２７】
2004252780.tif 000029
【図２８】
2004252780.tif 000030
【図２９】
2004252780.tif 000031
【図３０】
2004252780.tif 000032
【図３１】
2004252780.tif 000033
【図３２】
2004252780.tif 000034